(57)【要約】【課題】調光端末器側でユーザの操作に応じて照明負荷の調光制御が行える遠隔監視制御システムの調光端末器を提供する。【解決手段】調光端末器５は、伝送線を介して伝送される制御データを受信する受信回路と、受信した制御データに応じたデューティ比のデューティ信号を生成する信号処理部２０と、信号処理部２０から入力されるデューティ信号をもとに、調光信号線を介して照明負荷へ調光信号を出力する調光信号出力回路１１とを備える。端末器本体の表面には、調光信号の出力をオンするための釦と、調光信号の出力をオフするための釦とで構成される２個の操作釦Ｂが露設されておりいる。そして、２個の操作釦Ｂの内の何れかが押操作されると、信号処理部２０は、受信回路の受信した伝送信号に関わらず調光信号出力回路１１へのデューティ信号の出力をオン／オフして、照明負荷の調光制御をオン／オフしている。【選択図】　　　図１
2004119153.tif 000002
【特許請求の範囲】
【請求項１】
固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、
伝送線を介して伝送信号を授受する通信手段と、調光信号線を介して接続された照明負荷に前記調光信号線を介して調光信号を出力する調光信号出力手段と、通信手段が制御データを含む伝送信号を受信すると制御データに応じた調光レベルの調光信号を調光信号出力手段から出力させるとともに動作状態を示す監視データを通信手段から伝送制御装置に返送させる制御手段と、上記各手段を収納する端末器本体とを備え、端末器本体の表面に調光信号の出力をオン／オフさせるための操作釦を露設し、制御手段は、前記操作釦のオン／オフ操作に応じて、調光信号出力手段からの調光信号の出力を強制的にオン／オフさせることを特徴とする遠隔監視制御システムの調光端末器。
【請求項２】
前記制御手段は、前記操作釦のオン／オフ操作に応じて、調光信号出力手段からの調光信号の出力を強制的にオン／オフさせるとともに、調光信号の出力状態を示す監視データを通信手段から伝送制御装置に送信させることを特徴とする請求項１記載の遠隔監視制御システムの調光端末器。
【請求項３】
前記操作釦はオン操作用の釦とオフ操作用の釦とからなることを特徴とする請求項１又は請求項２の何れかに記載の遠隔監視制御システムの調光端末器。
【請求項４】
前記操作釦は、押操作する毎に調光信号の出力のオン／オフを反転させる１つの釦からなることを特徴とする請求項１又は請求項２の何れかに記載の遠隔監視制御システムの調光端末器。
【請求項５】
前記操作釦を、人の指で直接触れられないように配置したことを特徴とする請求項１乃至請求項４の何れか１つに記載の遠隔監視制御システムの調光端末器。
【発明の詳細な説明】
【０００１】
【発明の属する技術分野】
本発明は、遠隔監視制御システムの調光端末器に関するものである。
【０００２】
【従来の技術】
従来より、例えば特許文献１に示すように、固有アドレスが設定されスイッチの状態を監視してスイッチの状態に応じた監視データを伝送制御装置に対して送出する監視端末器と、固有アドレスが設定されスイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムが提供されていた。
【０００３】
この遠隔監視制御システムでは、照明負荷と商用電源との直列回路が両端間に接続されるトライアックのような電力制御素子を調光端末器に設け、外部から入力される制御データに応じて電力制御素子をオン／オフさせて、照明負荷への供給電力を制御し、照明負荷を調光点灯していた。
【０００４】
また、調光端末器と照明負荷との間を調光信号線を介して接続し、調光端末器が受信した制御データに応じたデューティ比のデューティ信号或いは電圧信号からなる調光信号を調光信号線に出力し、照明負荷が調光信号線を介して入力された調光信号のデューティ比或いは電圧レベルに基づいて調光レベルを可変するようにした遠隔監視制御システムも提案されている。
【０００５】
このようなシステムに用いられる調光端末器の概略のブロック図を図１１に示す。この調光端末器は、伝送制御装置との間で伝送線を介して伝送信号を授受する送受信部１０１と、自己の固有アドレスを記憶するアドレスメモリ１０２と、制御判断部１０３と、制御データに応じた調光レベルの調光信号を出力する調光信号出力制御部１０４とを備えており、送受信部１０１の受信した伝送信号に含まれるアドレスデータが、アドレスメモリ１０２に記憶された自己の固有アドレスに一致すると、送受信部１０１は伝送信号に含まれる制御データを制御判断部１０３に出力する。送受信部１０１から制御判断部１０３に制御データが入力されると、制御判断部１０３は、例えば制御データに応じたデューティ比のデューティ信号よりなる調光信号を調光信号出力制御部１０４から出力させるとともに、調光信号の出力状態を示す監視データを送受信部１０１から伝送制御装置へ返送させるようになっている。
【０００６】
ところで、このような従来の遠隔監視制御システムでは、監視端末器として、調光レベルをアップ又はダウンさせる明るさ調整用スイッチ及び負荷をオン／オフする負荷オン／オフ用スイッチの操作状態を監視する調光スイッチや、調光信号の出力をオン／オフさせる調光信号オン／オフ用スイッチの操作状態を監視する個別スイッチを設けているのであるが、個別スイッチの調光信号オン／オフ用スイッチを操作して調光信号の出力をオンにした場合（調光制御オン状態）は、調光端末器から調光信号線を介して調光信号が出力される。すなわち、調光制御オン状態では調光スイッチによる調光制御が有効になり、調光スイッチに設けられた負荷オン／オフ用スイッチを操作すると、このスイッチ操作に応じて調光端末器が調光信号を出力する状態と、調光信号の出力を停止する状態とに切り替えられ、照明負荷が半灯状態（所定の調光レベルで点灯する調光点灯状態）又は消灯状態に切り替えられる。
【０００７】
一方、個別スイッチの調光信号オン／オフ用スイッチを用いて調光信号の出力をオフにした場合（調光信号オフ状態）は、調光端末器からの調光信号の出力が停止され、調光スイッチによる調光制御が無効になる。この場合に調光スイッチの負荷オン／オフ用スイッチを操作すると、このスイッチ操作に応じて照明負荷は全点灯状態又は消灯状態に切り替えられるのである。
【０００８】
【特許文献１】
特開平１０−１０８２７４号公報（第２頁−第３頁）
【０００９】
【発明が解決しようとする課題】
上述した遠隔監視制御システムの調光端末器では、施工時やメンテナンス時に動作を確認するため、明るさ調整用スイッチや負荷オン／オフ用スイッチの操作状態を監視する調光スイッチとは別に、調光信号の出力をオン／オフするための調光信号オン／オフ用スイッチの操作状態を監視する個別スイッチを設ける必要がある。これは、調光端末器による調光制御が何らかの原因でオフ状態となった場合に、ユーザ側で調光制御のオン状態に戻せなくなるのを防止するためであるが、通常は調光制御が常にオンの状態で使用されるため、個別スイッチの調光信号オン／オフ用スイッチが操作されることはなく、異常時にしか操作されない個別スイッチを設置することでコストアップを招いたり、広い設置スペースを確保しなければならないという問題があった。
【００１０】
本発明は上記問題点に鑑みて為されたものであり、その目的とするところは、ユーザが調光端末器側で調光制御のオン状態／オフ状態を設定できる低コストで省スペースの遠隔監視制御システムの調光端末器を提供することにある。
【００１１】
【課題を解決するための手段】
上記目的を達成するために、請求項１の発明では、固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、伝送線を介して伝送信号を授受する通信手段と、調光信号線を介して接続された照明負荷に調光信号線を介して調光信号を出力する調光信号出力手段と、通信手段が制御データを含む伝送信号を受信すると制御データに応じた調光レベルの調光信号を調光信号出力手段から出力させるとともに動作状態を示す監視データを通信手段から伝送制御装置に返送させる制御手段と、上記各手段を収納する端末器本体とを備え、端末器本体の表面に調光信号の出力をオン／オフさせるための操作釦を露設し、制御手段は、操作釦のオン／オフ操作に応じて、調光信号出力手段からの調光信号の出力を強制的にオン／オフさせることを特徴とする。
【００１２】
請求項２の発明では、請求項１の発明において、制御手段は、操作釦のオン／オフ操作に応じて、調光信号出力手段からの調光信号の出力を強制的にオン／オフさせるとともに、調光信号の出力状態を示す監視データを通信手段から伝送制御装置に送信させることを特徴とする。
【００１３】
請求項３の発明では、請求項１又は請求項２の何れかの発明において、操作釦はオン操作用の釦とオフ操作用の釦とからなることを特徴とする。
【００１４】
請求項４の発明では、請求項１又は請求項２の何れかの発明において、操作釦は、押操作する毎に調光信号の出力のオン／オフを反転させる１つの釦からなることを特徴とする。
【００１５】
請求項５の発明では、請求項１乃至請求項４の何れか１つの発明において、操作釦を、人の指で直接触れられないように配置したことを特徴とする。
【００１６】
【発明の実施の形態】
以下、本発明を実施形態により詳細に説明する。
【００１７】
（実施形態１）
本発明の実施形態１を図面を参照して説明する。
【００１８】
先ず、本発明の調光端末器を用いる遠隔監視制御システムについて簡単に説明する。図９は遠隔監視制御システムの一構成例を示しており、本システムでは、伝送制御装置１に２線式の伝送線Ｌｓが接続されており、この伝送線Ｌｓには、個別スイッチ２および調光スイッチ３が監視端末器として接続されている一方、リレー端末器４および調光端末器５が制御端末器として接続されている。ここに、個別スイッチ２、調光スイッチ３、リレー端末器４および調光端末器５などの各端末器は、伝送線Ｌｓに対してマルチドロップ接続される。
【００１９】
個別スイッチ２、調光スイッチ３、リレー端末器４および調光端末器５には、それぞれ個別のアドレス（固有アドレス）が設定され、伝送制御装置１は、それらのアドレスを用いて、個別スイッチ２、調光スイッチ３、リレー端末器４および調光端末器５を個別に認識する。
【００２０】
個別スイッチ２は、調光端末器５からの調光信号の出力をオン／オフするための調光信号オン／オフ用スイッチＳａを最大４個備え、調光スイッチ３は、調光レベルをアップさせるアップスイッチＳｕ、調光レベルをダウンさせるダウンスイッチＳｄ、及び対応する照明負荷をオン／オフするための負荷オン／オフ用スイッチＳｂを備える。
【００２１】
リレー端末器４には照明負荷（照明器具）への電力供給をオン／オフするリレー（リモコンリレー）Ｒｙが接続される。リレーＲｙには一般にラッチング型のものが用いられ、リレー端末器４は、リレーＲｙを動作させる際、トランス（リレートランス）Ｔ１からリレーＲｙにパルス的に電源を供給する。
【００２２】
また、調光端末器５は蛍光灯用であって、照明負荷である蛍光灯を調光器として機能するインバータにより高周波点灯させる照明器具Ｌに対して調光信号線Ｌｔを介して調光レベルを指示するデューティ信号よりなる調光信号を与えるように構成される。また、調光端末器５にはトランスＴ２から電源が供給されている。尚、調光端末器５から照明器具Ｌに対して調光レベルに応じた電圧信号よりなる調光信号を出力するようにしても良い。
【００２３】
次に本システムの動作を簡単に説明する。ただし、簡単のため、個別スイッチ２および調光スイッチ３をまとめて監視端末器と呼び、リレー端末器４および調光端末器５をまとめて制御端末器と呼ぶことにする。
【００２４】
伝送制御装置１は、伝送線Ｌｓに対して、図１０（ａ）に示すフォーマットの伝送信号Ｖｓを送出する。伝送信号Ｖｓは、信号送出開始を示す同期信号ＳＴ、伝送信号Ｖｓのモードを示すモードデータＭＤ、アクセスする端末器（監視端末器及び制御端末器）のアドレス（８ビット）を示すアドレスデータＡＤ、制御内容を示す制御データＣＤ、伝送誤りを検出するためのチェックサムデータＣＳ、端末器から返送信号（監視データ）を返送させるために設けられたタイムスロットである信号返送期間ＷＴよりなる双極性（±２４Ｖ）の時分割多重信号であり、パルス幅変調によってデータが伝送されるようになっている（図１０（ｂ）参照）。
【００２５】
各端末器では、基本的には、伝送線Ｌｓを介して受信した伝送信号ＶｓのアドレスデータＡＤと予め設定されている自己のアドレスデータとが一致したとき、その伝送信号Ｖｓの制御データＣＤを取り込むとともに、伝送信号Ｖｓの信号返送期間ＷＴに同期して監視データを電流モード信号（伝送線間を適当な低インピーダンスを介して短絡することにより送出される信号）で伝送制御装置１に返送する。
【００２６】
ここで、伝送制御装置１から所望の端末器にデータを伝送する場合には、モードデータＭＤを制御モードとし、アドレスデータＡＤを所望の端末器のアドレスとした伝送信号Ｖｓを伝送線Ｌｓに送出すれば、アドレスデータＡＤの一致する端末器が制御データＣＤを受け取り、信号返送期間ＷＴに監視データを返送する。伝送制御装置１では、送出した制御データＣＤと信号返送期間ＷＴに受信した監視データとをもとに制御データＣＤが所望の端末器に伝送されたことを確認する。また、制御端末器は受け取った制御データＣＤに従ってリレーＲｙの動作を指示したり調光信号を変化させたりし、監視端末器では受け取った制御データＣＤに従って表示灯を点灯又は消灯させるなどの動作を行う。
【００２７】
一方、伝送制御装置１は通常時にはモードデータＭＤをダミーモードとした伝送信号Ｖｓを一定時間間隔で送出しており（常時ポーリング）、監視端末器が伝送制御装置１に対して何らかの情報を伝送しようとするときには、ダミーモードの伝送信号Ｖｓの同期信号ＳＴに同期させて、図１０（ｃ）のような割込信号Ｖｉを発生させる。このとき、監視端末器は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した監視端末器では、割込ポーリングモードの伝送信号ＶｓにおけるアドレスデータＡＤの上位４ビットが自己のアドレスの上位４ビットに一致するときに、信号返送期間ＷＴにアドレスの下位の半数のビット（下位４ビット）を伝送制御装置１に返送する。このように、伝送制御装置１は割込信号を発生した監視端末器を１６個ずつまとめて探すので、比較的短い時間で監視端末器を発見することができる。
【００２８】
伝送制御装置１が割込信号を発生した監視端末器のアドレスを獲得すると、モードデータＭＤを監視モードとし、獲得したアドレスデータＡＤを持つ伝送信号を伝送線Ｌｓに送出し、この伝送信号に対して監視端末器は伝送しようとする情報を信号返送期間ＷＴに返送する。最後に、伝送制御装置１は割込信号を発生した監視端末器に対して割込フラグのリセットを指示する信号を送出し、監視端末器の割込フラグを解除する。
【００２９】
以上のようにして、監視端末器から伝送制御装置１への情報伝送は、伝送制御装置１から監視端末器への４回の信号伝送（ダミーモード、割込ポーリングモード、監視モード、割込リセット）によって完了する。また、伝送制御装置１が所望の制御端末器の動作状態を知ろうとするときには、モードデータＭＤを監視データとし、アドレスデータＡＤを所望の制御端末器のアドレスとした伝送信号Ｖｓを送出するだけでよく、伝送信号Ｖｓの信号返送期間ＷＴに制御端末器からの監視データを取得できる。
【００３０】
ここで、個別スイッチ２の調光信号オン／オフ用スイッチＳａ、調光スイッチ３のアップスイッチＳｕ、ダウンスイッチＳｄおよび負荷オン／オフ用スイッチＳｂの内の何れかが操作されて操作入力が発生すると、上述の伝送手順にしたがって監視端末器（個別スイッチ２又は調光スイッチ３）から操作入力に対応した監視データが伝送制御装置１に返送される。伝送制御装置が、監視端末器から受け取った監視データをもとに制御データＣＤを作成し、作成した制御データＣＤを対応する制御端末器に伝送すると、制御端末器はリレーＲｙを制御して照明器具Ｌをオン／オフさせたり、照明器具Ｌの光出力を調節したりするのである。すなわち、伝送制御装置１に予め設定されたアドレスの対応関係を用いて、端末器間でデータを授受することによって、いずれかの監視端末器に設けたスイッチの操作に応じて、対応する制御端末器で負荷を制御するのである。
【００３１】
ところで、調光スイッチ３に設けられたアップスイッチＳｕは押操作により光出力の増加を指示し、ダウンスイッチＳｄは押操作により光出力の減少を指示し、負荷オン／オフ用スイッチＳｂは押操作により照明負荷のオン／オフを指示する。なお、アップスイッチＳｕ及びダウンスイッチＳｄは押操作の開始時と押操作の終了時とに上述の割込信号を発生するものであり、スイッチＳｕ，Ｓｄを押し続けている間中、光出力が増加又は減少するのである。
【００３２】
次に、調光端末器５の回路構成を図４に基づいて説明する。調光端末器５は、伝送線Ｌｓに接続される２つの端子Ｎ１，Ｎ２間に無極性化のためのダイオードブリッジＤＢ１を備え、このダイオードブリッジＤＢ１で伝送信号Ｖｓを全波整流し、定電圧回路２１で定電圧化することによって当該調光端末器５の伝送処理に関する回路部分の電源を得ている。また、伝送信号Ｖｓは、ダイオードブリッジＤＢ１の一部を用いて半波整流され受信回路２２を通して制御手段たる信号処理部２０に入力される。信号処理部２０はマイコンを主構成とし、ＥＥＰＲＯＭを用いたデータ記憶部２３に格納されたアドレスデータをアドレスとして用いる。なお、データ記憶部２３に格納されるデータはアドレスデータだけではなく、信号処理部２０の動作を決めるパラメータも格納される。つまり、信号処理部２０は、複数種類の機能（例えば、リレーを制御する端末器か調光端末器かの別など）に関するプログラムを有しており、どのプログラムを用いて動作するかがデータ記憶部２３に格納されたパラメータを用いて選択される。
【００３３】
信号処理部２０では、受信回路２２を通して受信した伝送信号に含まれるアドレスデータがデータ記憶部２３に格納されたアドレスデータに一致すると、伝送信号の制御データを受け取り、制御データに応じた動作をする。また、伝送信号を受信したことを返信回路２４を通して端子Ｎ１，Ｎ２から伝送線Ｌｓに送出する。返信回路２４はダイオードブリッジＤＢ１の出力端子間に抵抗を接続する状態と出力端子間を開放する状態との２状態により電流モードの２値の信号を伝送線Ｌｓに送出する。ここに、受信回路２２と返信回路２４とで通信手段が構成される。
【００３４】
ところで、この調光端末器５では、別に設けたワイヤレス設定器からの光ワイヤレス信号によってデータ記憶部２３にデータを書き込むことができるようにしてある。このため、赤外線信号のような光ワイヤレス信号を受信する受光ダイオードＰＤを備えたワイヤレス受信部２５と、光ワイヤレス信号を送信する発光ダイオードＬＤ２を備えたワイヤレス送信部２６と、光ワイヤレス信号を受信したときに可視光の発光ダイオードからなる表示灯ＬＤ１を点灯させて報知動作を行う受信報知部２７とが設けられている。したがって、外部のワイヤレス設定器では調光端末器５との間で光ワイヤレス信号を授受することができ、データ記憶部２３にデータを書き込むだけではなく、データ記憶部２３に格納されているデータの確認や修正もワイヤレス設定器によって可能になっている。さらに、信号処理部２０はマイコンを主構成とするから、内部クロック信号を発生させるために、水晶振動子ＸＬも接続されている。
【００３５】
また調光端末器５は、調光スイッチ３のスイッチ操作に伴って伝送される伝送信号に含まれる制御データＣＤに基づいて調光信号を生成する機能を有している。制御データＣＤに基づいて調光信号を変化させる機能の一部は信号処理部２０に含まれており、信号処理部２０では調光レベルに応じたデューティ比の２値信号を出力する。この２値信号はトランジスタＱ１およびフォトカプラＰＣを介して調光信号出力手段たる調光信号出力回路１１に送られる。上述のように信号処理部２０は、定電圧回路２１により伝送信号Ｖｓを全波整流して定電圧化した電源を用いて動作しているが、調光信号出力回路１１は別に設けた電源回路１２により電源が供給される。したがって、電源の異なる回路間を絶縁するためにフォトカプラＰＣを用いているのである。
【００３６】
調光信号出力回路１１に給電する電源回路１２は、トランスＴ２の２次出力を整流する整流回路ＲＥと、整流回路ＲＥの出力を平滑する平滑コンデンサＣ０とを備え、平滑コンデンサＣ０の両端電圧を降圧回路ＤＣで降圧した電圧が調光信号出力回路１１に与えられるようになっている。降圧回路ＤＣは、スイッチング素子およびスイッチング素子の制御回路を含む集積回路よりなるレギュレータ回路１２ａと、インダクタＬ１と、平滑コンデンサＣ２と、ダイオードＤ３とで構成される降圧チョッパ回路からなり、出力端子間に接続された抵抗Ｒ５，Ｒ６で出力電圧を分圧して、分圧電圧をレギュレータ回路１２ａにフィードバックすることで、電源回路１２の出力電圧を安定化している。
【００３７】
一方、フォトカプラＰＣの出力側のトランジスタは、別のトランジスタＱ２に直列接続される。また、調光信号出力回路１１は、フォトカプラＰＣとトランジスタＱ２とがともに導通したときにオンになるトランジスタＱ３を備え、このトランジスタＱ３と可視光の発光ダイオードよりなる表示灯ＬＤ３と２つの抵抗Ｒ２，Ｒ３との直列回路が電源回路１２の出力端子間に接続されている。したがって、トランジスタＱ３のオン／オフに応じて、端子Ｓ１の電位が端子Ｓ２の電位よりも高くなると、抵抗Ｒ３の両端電圧が変化し、端子Ｓ１，Ｓ２に接続された調光信号線Ｌｔに調光信号として出力され、調光信号線Ｌｔを介して照明器具Ｌに与えられるのである。ここで、調光信号の出力時にはトランジスタＱ３が所定のデューティ比でオン／オフし、トランジスタＱ３のオン／オフに応じて、表示灯ＬＤ３に電流が流れ、表示灯ＬＤ３が点灯する。表示灯ＬＤ３の点滅周期はデューティ信号の周期で決定され、デューティ信号の周期は非常に高いので、人の目には表示灯ＬＤ３が点灯し続けているように見える。
【００３８】
ところで、上述したトランジスタＱ２および抵抗Ｒ２は、抵抗Ｒ３の両端間（すなわち端子Ｓ１，Ｓ２間）の短絡の有無を検出する短絡検出回路１４に用いられている。短絡検出回路１４は２個のコンパレータＣＰ１，ＣＰ２、トランジスタＱ２、抵抗Ｒ２，Ｒ４、ダイオードＤ１，Ｄ２、コンデンサＣ１、可視光の発光ダイオードからなる表示灯ＬＤ３などで構成され、上述した抵抗Ｒ２の両端電圧は、ダイオードＤ１、抵抗Ｒ４、コンデンサＣ１によって平均化され、この平均電圧はコンデンサＣ１の両端電圧としてコンパレータＣＰ１において基準電圧と比較される。
【００３９】
ここで、端子Ｓ１，Ｓ２間が短絡して短絡電流が流れると、抵抗Ｒ２の両端電圧が正常時よりも高くなって、コンデンサＣ１の両端電圧が基準電圧よりも高くなる。この時、コンパレータＣＰ１の出力がＬレベルになり、コンパレータＣＰ２の出力もＬレベルとなる。コンパレータＣＰ２の出力端子には表示灯ＬＤ３の一端が接続されるとともに、ダイオードＤ２を介してトランジスタＱ２のベースが接続されているので、短絡時にコンパレータＣＰ２の出力がＬレベルになると、表示灯ＬＤ３が点灯するとともに、トランジスタＱ２がオフになる。トランジスタＱ２がオフになると、トランジスタＱ３もオフになるので、電源回路１２の出力端子間の短絡を防止することができる。
【００４０】
短絡発生時に短絡検出回路１４の動作によってトランジスタＱ３がオフになると、抵抗Ｒ２の両端電圧が無くなるので、コンデンサＣ１の電荷が放出され、コンデンサＣ１の両端電圧が基準電圧よりも低下すると、コンパレータＣＰ１，ＣＰ２の出力がＨレベルになって、表示灯ＬＤ３が消灯するとともに、トランジスタＱ２がオンになる。その後、フォトカプラＰＣの出力側のトランジスタがオンになると、トランジスタＱ３がオンになって、短絡電流が流れるので、再びコンデンサＣ１の両端電圧が基準電圧よりも高くなって、コンパレータＣＰ１，ＣＰ２の出力がＬレベルとなり、表示灯ＬＤ３が点灯するとともに、トランジスタＱ２，Ｑ３がオフになって、電源回路１２の出力端子間の短絡を防止する。以上の動作を繰り返すことで、電源回路１２の出力端子間の短絡を防止して、調光信号の出力を停止させるとともに、表示灯ＬＤ３が点滅を繰り返して、短絡表示を行うのである。而して、表示灯ＬＤ３は調光信号の出力のオフ時には消灯し、オン時には点灯しており、また短絡発生時には点滅する。
【００４１】
ところで、本実施形態の調光端末器５では、図１及び図３に示すように調光信号の出力をオンするためのオン操作用のスイッチＳＷ１と、調光信号の出力をオフするためのオフ操作用のスイッチＳＷ２とを備え、これら押釦スイッチＳＷ１，ＳＷ２の操作釦Ｂを端末器本体の表面に露設してある。
【００４２】
スイッチＳＷ１は押操作時に調光制御をオンにするための信号を出力する押釦スイッチ、スイッチＳＷ２は押操作時に調光制御をオフにするための信号を出力する押釦スイッチであり、両スイッチＳＷ１，ＳＷ２をダイオードを介して信号処理部２０の入力端子にそれぞれ接続してある。すなわち、上述の操作釦Ｂを、オン操作用のスイッチＳＷ１の釦と、オフ操作用のスイッチＳＷ２の釦との２個の釦で構成している。このように、オン操作用のスイッチＳＷ１と、オフ操作用のスイッチＳＷ２とを別々に設けているので、両スイッチＳＷ１，ＳＷ２の操作釦Ｂの操作状態から調光制御のオン状態及びオフ状態を容易に確認できる。
【００４３】
また、信号処理部２０には、送受信判断部２０ａと、制御判断部２０ｂと、操作釦Ｂの押操作の有無を判定する釦入力判断部２０ｃとが設けてある。ここに、送受信判断部２０ａと制御判断部２０ｂと釦入力判断部２０ｃとは信号処理部２０の演算機能で構成される。
【００４４】
この調光端末器５の動作を図１に基づいて説明する。受信回路２２が伝送信号を受信すると、信号処理部２０の送受信判断部２０ａが、受信回路２２の受信した伝送信号に含まれるアドレスデータと、データ記憶部２３に記憶された自己の固有アドレスとを比較し、両者が一致すると受信した伝送信号に含まれる制御データを制御判断部２０ｂに出力する。ここで、制御データとして調光制御をオンさせる制御データが入力された場合は、制御判断部２０ｂが所定のデューティ比のデューティ信号を調光信号出力回路１１に出力するとともに、調光制御のオン状態を示す監視データを送受信判断部２０ａから返信回路１４を介して伝送制御装置１へ返信させ、調光信号出力回路１１は入力されたデューティ信号をもとに調光信号を作成し調光信号線Ｌｔを介して照明器具Ｌに出力する。また、制御データとして調光信号をオフさせる制御データが入力された場合は、制御判断部２０ｂがデューティ信号の出力を停止するとともに、調光制御のオフ状態を示す監視データを送受信判断部２０ａから返信回路１４を介して伝送制御装置１へ返信させる。
【００４５】
一方、ユーザが操作釦Ｂを操作すると、スイッチＳＷ１又はＳＷ２から接点信号が釦入力判断部２０ｃに入力され、釦入力判断部２０ｃから制御判断部２０ｂに操作信号が与えられる。釦入力判断部２０ｃからの操作信号は、送受信判断部２０ａからの入力信号よりも優先度が高く設定されているので、操作釦Ｂを用いて調光信号の出力をオンさせる操作を行うと（スイッチＳＷ１の釦を押操作すると）、制御判断部２０ｂは、送受信判断部２０ａからの入力信号に関係なく、予め設定されたデューティ比のデューティ信号を調光信号出力回路１１に出力するとともに、調光制御のオン状態を示す監視データを送受信判断部２０ａから返信回路２４を介して伝送制御装置１へ返信させる。調光信号出力回路１１は入力されたデューティ信号をもとに調光信号を作成して照明器具Ｌに出力する。また、操作釦Ｂを用いて調光信号の出力をオフさせる操作を行うと（スイッチＳＷ２の釦を押操作すると）、制御判断部２０ｂは、送受信判断部２０ａからの入力信号に関係なく、デューティ信号の出力を強制的に停止するとともに、調光制御のオフ状態を示す監視データを送受信判断部２０ａから返信回路２４を介して伝送制御装置１へ返信させる。
【００４６】
このように、本実施形態では調光信号の出力を強制的にオン又はオフするための操作釦Ｂを端末器本体の表面に露設してあるので、操作釦Ｂを用いてオン操作或いはオフ操作を行うことで調光信号出力回路１１からの調光信号の出力をオン／オフさせることができ、何らかの原因で調光端末器５による調光制御がオフ状態となった場合でも、操作釦Ｂを用いて調光制御をオン状態に戻すことができ、照明器具Ｌを調光点灯させることができる。しかも、従来の調光端末器のように調光信号の出力をオン／オフするための外部スイッチ（個別スイッチ）を設置する必要がなく、万が一の場合にしか操作されないような外部スイッチの設置が不要であるのでコストダウンや設置スペースの省スペース化を図ることができる。また、操作釦Ｂを用いて調光制御をオン／オフした場合は、調光制御のオン状態／オフ状態を示す監視データを送受信判断部２０ａから返信回路２４を介して伝送制御装置１へ返信させているので、調光制御のオン／オフ状態を遠隔から監視することができる。
【００４７】
尚、制御判断部２０ｂでは、送受信判断部２０ａが受信した伝送信号、及び、釦入力判断部２０ｃからの操作信号に基づいて、デューティ信号の出力をオン／オフしているが、送受信判断部２０ａが受信した伝送信号よりも釦入力判断部２０ｃからの操作信号の方が優先度が高く設定されているので、データ記憶部２３に固有アドレスが設定されておらず、送受信判断部２０ａからの入力が無い場合でも、操作釦Ｂの操作によってデューティ信号の出力をオン／オフすることができる。
【００４８】
この場合の動作を図２に基づいて説明する。データ記憶部２３には自己の固有アドレスが設定されていないので、送受信判断部２０ａでは伝送制御装置からの伝送信号を受信することができず、制御判断部２０ｂには伝送信号に含まれる制御データは入力されない。一方、ユーザが操作釦Ｂを押操作すると、スイッチＳＷ１又はＳＷ２から釦入力判断部２０ｃに接点信号が入力され、釦入力判断部２０ｃから制御判断部２０ｂに操作信号が与えられる。上述のように釦入力判断部２０ｃからの操作信号は、送受信判断部２０ａからの入力信号よりも優先度が高く設定されているので、操作釦Ｂを用いて調光信号の出力をオンさせる操作を行うと（スイッチＳＷ１の釦を押操作すると）、制御判断部２０ｂは、所定のデューティ比のデューティ信号を調光信号出力回路１１に出力し、調光信号出力回路１１は入力されたデューティ信号をもとに調光信号を作成して照明器具Ｌに出力する。一方、操作釦Ｂを用いて調光信号の出力をオフさせる操作を行うと（スイッチＳＷ２の釦を押操作すると）、制御判断部２０ｂは、送受信判断部２０ａからの入力信号に関係なく、デューティ信号を強制的に停止する。この場合、データ記憶部２３には自己の固有アドレスが設定されていないので、送受信判断部２０ａから調光制御のオフ状態又はオフ状態を示す監視データが返信されることはない。
【００４９】
上述のようにデータ記憶部２３に自己の固有アドレスが設定されていない状態でも、操作釦Ｂを用いて調光信号の出力のオン／オフを切り替えることができ、したがって受信回路２２の動作が不良な場合や、施工途中で伝送線が接続されていない場合でも、操作釦Ｂのオン／オフ操作によって、調光信号出力回路１１からの調光信号の出力をオン／オフさせることができ、動作確認を容易に行える。
【００５０】
（実施形態２）
本発明の実施形態２を図５〜図８を参照して説明する。上述した実施形態１では、操作釦Ｂとして調光制御をオンにするためのスイッチＳＷ１の釦と、調光制御をオフにするためのスイッチＳＷ２の釦とを別々に用意しているのに対して、本実施形態では、押操作する毎に調光信号の出力のオン／オフを反転させるためのスイッチＳＷ３を用意し、このスイッチＳＷ３の操作釦Ｂを端末器本体の表面に露設してある。そして、スイッチＳＷ３の押操作を監視する入力判断部２０ｄと、入力判断部２０ｄの検知した釦操作が調光制御をオンするための操作かオフさせるたの操作かを判断して、判断結果を制御判断部２０ｂに出力するオン／オフ出力判断部２０ｅとで釦入力判断部２０ｃを構成している。このように、本実施形態では、スイッチＳＷ３の１個の操作釦Ｂで調光制御をオン／オフしているので、実施形態１に比べ部品点数を削減してコストダウンを図ることができる。尚、オン用とオフ用のスイッチの釦を１つの釦で兼用した点以外は実施形態１と同様であるので、同一の構成要素には同一の符号を付してその説明は省略する。
【００５１】
ここで、調光端末器５の構造を図６及び図７に基づいて説明する。図６は調光端末器５の外観斜視図、図７は調光端末器５の分解斜視図であり、この調光端末器５のハウジング５０は、上面が開口する箱状のボディ５０ａと、ボディ５０ａの上面に被着されるカバー５０ｂとからなる。ボディ５０ａには底面からボス５０ｃが突設され、ボス５０ｃに設けた挿通孔に挿通した固定ねじ５０ｄをカバー５０ｂのねじ穴（図示せず）に螺着することで、ボディ５０ａとカバー５０ｂとが一体に組み合わされる。
【００５２】
このハウジング５０の外形は分電盤協約寸法（ＪＩＳ　Ｃ　８３７０の付属書５参照）の３個モジュール寸法に形成してあり、ブレーカなどと共に並設して分電盤内に収めることを可能としてある。したがって、端末器本体５０を分電盤に取り付ける際に、同一規格の他の装置と同じ取付金具を用いて、並べて配置することができ、施工性が向上する。
【００５３】
ハウジング５０の内部には、図４で説明した回路を構成したプリント基板５２が収納される。プリント基板５２に実装されたワイヤレス受信部２５の受光ダイオードＰＤ及びワイヤレス送信部２６の発光ダイオードＬＤ２に対応するカバー５０ｂの上面には、赤外線透過フィルタ５４ａが取り付けられた透光窓５４を設け、ワイヤレス設定器との間でワイヤレス信号を送受信できるようにしてある。また、ワイヤレス信号の受信状態を表示する受信報知部２７の表示灯ＬＤ１と、調光信号の出力状態の表示及び短絡状態の表示を兼用する表示灯ＬＤ３とをそれぞれ露出させる表示窓５５ａ，５５ｂをカバー５０ｂの上面に形成してある。また、カバー５０ｂの上面には、人の指が入り込まない程度の大きさの凹部６０を形成してあり、凹部６０の底に上述したスイッチＳＷ３の操作釦Ｂを配置してある。なお、カバー５０ｂの上面中央には銘板５７が被着される。
【００５４】
また、カバー５０ｂの一端側には信号端子Ｎ１，Ｎ２及び電源入力端子用の端子部５１ａを設け、他端側には出力端子Ｓ１，Ｓ２用の端子部５１ｂを設けてある。各端子Ｎ１，Ｎ２，Ｓ１，Ｓ２及び電源入力端子（総称して端子５８と呼ぶ）は、Ｌ字状の端子板５８ａと、座金付きの端子ねじ５８ｂとからなる。ここで、端子５８はプリント基板５２に形成された挿通孔５９内に垂下片を挿入して半田付けし、プリント基板５２に直接に接続される。
【００５５】
上述のように、調光制御をオン／オフするためのスイッチＳＷ３はカバー５０ｂの上面に設けた凹部６０の底に配設されており、図８（ａ）に示すように凹部６０は人の指が入り込まない程度の大きさに形成されているので、図８（ｂ）に示すように先端の尖った工具７０を用いなければ、スイッチＳＷ３の操作釦Ｂを押操作することができず、操作釦Ｂが不用意に操作されて調光制御のオン／オフが切り替えられるのを防止できる。また、実施形態１で説明したように調光信号の出力のオフ時には表示灯ＬＤ３が消灯、調光信号の出力のオン時には表示灯ＬＤ３が点灯、調光信号線Ｌｔの短絡時には点滅するので、表示灯ＬＤ３の点灯状態から調光信号の出力状態を確認できる。尚、実施形態１で説明した調光端末器５の構造は、スイッチ及びその操作釦が２個ずつ設けられている以外は本実施形態と同様である。
【００５６】
【発明の効果】
上述のように、請求項１の発明は、固有アドレスが設定されスイッチの状態を監視しスイッチの状態に応じた監視データを伝送制御装置に対して送出する監視端末器と、固有アドレスが設定され各スイッチに対応する照明負荷を調光制御する調光端末器と、各端末器が一対の伝送線を介して接続されるとともに、アドレスデータを含む伝送信号を伝送線に送出することによって各端末器をアクセスして監視データ及び照明負荷の調光制御内容を示す制御データを時分割多重伝送する伝送制御装置とを備えた遠隔監視制御システムの調光端末器であって、伝送線を介して伝送信号を授受する通信手段と、調光信号線を介して接続された照明負荷に調光信号線を介して調光信号を出力する調光信号出力手段と、通信手段が制御データを含む伝送信号を受信すると制御データに応じた調光レベルの調光信号を調光信号出力手段から出力させるとともに動作状態を示す監視データを通信手段から伝送制御装置に返送させる制御手段と、上記各手段を収納する端末器本体とを備え、端末器本体の表面に調光信号の出力をオン／オフさせるための操作釦を露設し、制御手段は、操作釦のオン／オフ操作に応じて、調光信号出力手段からの調光信号の出力を強制的にオン／オフさせることを特徴とし、調光端末器側で操作釦をオン／オフ操作することによって調光信号出力手段からの調光信号の出力をオン／オフさせることができるので、何らかの原因で調光端末器による調光制御がオフ状態となった場合でも、操作釦を用いて調光制御をオン状態に戻すことができ、照明負荷を調光点灯させることができる。しかも、従来の調光端末器のように調光信号の出力をオン／オフするための外部スイッチを設置する必要がなく、万が一の場合にしか操作されないような外部スイッチの設置が不要であるのでコストダウンや設置スペースの省スペース化を図ることができるという効果がある。また、自己の固有アドレスが設定されていない場合や通信手段の故障などで伝送制御装置との間の通信が不調になった場合でも、操作釦のオン／オフ操作によって、調光信号出力手段からの調光信号の出力をオン／オフさせて、照明負荷を調光制御することができ、さらに施工途中で伝送線に接続されていない状態でも、操作釦のオン／オフ操作によって、調光信号出力手段からの調光信号の出力をオン／オフさせることで、動作確認を容易に行えるという効果がある。
【００５７】
請求項２の発明は、請求項１の発明において、制御手段は、操作釦のオン／オフ操作に応じて、調光信号出力手段からの調光信号の出力を強制的にオン／オフさせるとともに、調光信号の出力状態を示す監視データを通信手段から伝送制御装置に送信させることを特徴とし、請求項１の発明と同様に、調光端末器側で操作釦をオン／オフ操作することによって調光信号出力手段からの調光信号の出力をオン／オフさせることができるので、何らかの原因で調光端末器による調光制御がオフ状態となった場合でも、操作釦を用いて調光制御をオン状態に戻すことができ、照明負荷を調光点灯させることができ、且つ、監視データを伝送制御装置へ返送させることで、調光信号の出力状態を遠隔からモニターできるという効果もある。
【００５８】
請求項３の発明は、請求項１又は請求項２の何れかの発明において、操作釦はオン操作用の釦とオフ操作用の釦とからなることを特徴とし、オン操作用又はオフ操作用の釦を用いて調光信号の出力状態をオン／オフさせることができ、且つ、２つの釦の操作状態から調光制御のオン状態／オフ状態を確認できるという効果もある。
【００５９】
請求項４の発明は、請求項１又は請求項２の何れかの発明において、操作釦は、押操作する毎に調光信号の出力のオン／オフを反転させる１つの釦からなることを特徴とし、オン操作用の釦とオフ操作用の釦とを１つの釦で兼用することで、部品数を少なくして製造コストを削減することができる。
【００６０】
請求項５の発明は、請求項１乃至請求項４の何れか１つの発明において、操作釦を、人の指で直接触れられないように配置したことを特徴とし、操作釦が不用意に操作されるのを防止できる。
【図面の簡単な説明】
【図１】実施形態１の調光端末器のブロック図である。
【図２】同上の動作を説明する説明図である。
【図３】同上の動作を説明する説明図である。
【図４】同上の回路図である。
【図５】実施形態２の調光端末器のブロック図である。
【図６】同上の外観斜視図である。
【図７】同上の分解斜視図である。
【図８】（ａ）（ｂ）は同上の操作釦の操作方法を説明する説明図である。
【図９】遠隔監視制御システムのシステム構成図である。
【図１０】（ａ）〜（ｃ）は伝送信号の説明図である。
【図１１】従来の調光端末器のブロック図である。
【符号の説明】
５　　調光端末器
１１　調光信号出力回路
２０　信号処理部
Ｂ　　操作釦
【図１】
2004119153.tif 000003
【図２】
2004119153.tif 000004
【図３】
2004119153.tif 000005
【図４】
2004119153.tif 000006
【図５】
2004119153.tif 000007
【図６】
2004119153.tif 000008
【図７】
2004119153.tif 000009
【図８】
2004119153.tif 000010
【図９】
2004119153.tif 000011
【図１０】
2004119153.tif 000012
【図１１】
2004119153.tif 000013